(57)【要約】【課題】錆に強く、軽量で生産性の高い袖看板、ファサードサインなどの看板を提供する。【解決手段】アルミニウム合金製の一対の枠材２、３がアルミニウム合金製の複数個の水平材５で連結された構造躯体６を備えている。各枠材２、３は、略Ｌ形断面長尺状の４本の展張フレーム７が縦長長方形枠状に連結され、その連結部にステンレス鋼製の第１のコーナー補強アングル８がボルト接合され、さらに、展張フレーム７のブラケット対向部位にステンレス鋼製の取付部補強アングル１０がボルト接合された構造を有している。水平材５の上下両面には、灯具１６を水平方向に移動自在に係合しうる灯具係合溝５ｃ、５ｄがそれぞれ形成されている。一対の枠材２、３間にスライドレール２１が水平に取り付けられている。スライドレール２１の上下両面には、灯具１６を水平方向に移動自在に係合しうる灯具係合溝２１ａ、２１ｂがそれぞれ形成されている。【選択図】図２
2006301206.tif 000002
【特許請求の範囲】
【請求項１】
構造躯体を備えた看板であって、
前記構造躯体の材質は、アルミニウムであることを特徴とする看板。
【請求項２】
構造躯体を備えた看板であって、
前記構造躯体は、アルミニウム製の枠材とアルミニウム製の水平材とが連結された構造を有していることを特徴とする看板。
【請求項３】
構造躯体を備えた看板であって、
前記構造躯体は、アルミニウム製の一対の枠材がアルミニウム製の水平材で連結された構造を有していることを特徴とする看板。
【請求項４】
前記構造躯体に取り付けられた金物類の材質は、ステンレスであることを特徴とする請求項１乃至３のいずれかに記載の看板。
【請求項５】
前記水平材の上下両面には、灯具を水平方向に移動自在に係合しうる灯具係合溝がそれぞれ形成されていることを特徴とする請求項２乃至４のいずれかに記載の看板。
【請求項６】
前記一対の枠材間にスライドレールが水平に取り付けられ、
このスライドレールの上下両面には、灯具を水平方向に移動自在に係合しうる灯具係合溝がそれぞれ形成されていることを特徴とする請求項３乃至５のいずれかに記載の看板。
【発明の詳細な説明】
【技術分野】
【０００１】
本発明は、特に袖看板、ポール式袖看板、ファサードサイン、壁面看板などの大規模な看板に関するものである。
【背景技術】
【０００２】
従来、この種の看板においては、構造躯体に鉄骨を使用し、外装材にアルミニウム合金を使用していた。ところが、鉄とアルミニウムという異種金属の接触によって錆が発生し、「錆に強い」というアルミニウム合金の特長を活かすことができなかった。
【０００３】
そこで、錆の発生を未然に防ぐべく、鉄骨に代えてステンレス鋼を採用することも提案されている（例えば、特許文献１参照）。
【特許文献１】特開２００３−８４６９４号公報
【発明の開示】
【発明が解決しようとする課題】
【０００４】
しかし、これでは次のような不都合があった。
【０００５】
第１に、「軽量である」という、アルミニウム合金のもうひとつの特長を十分に活かすことができない。
【０００６】
すなわち、看板重量の大半を占める構造躯体がステンレス鋼であり、アルミニウム合金は、せいぜい外装材に使用されるだけである。したがって、アルミニウム合金の使用比率が低く、構造躯体の軽量化にあまり貢献しない。また、図１１に示すように、枠材２にＦＦシート（フレキシブルフェイスシート）を取り付ける場合には、ＦＦシートの使用に伴う強大な引張力に対応すべく、枠材２に補強材３１を取り付けて補強する必要があり、勢い構造躯体６の重量が増加する。さらに、枠材２からの外力をブラケットに伝達するため、図１２に示すように、重量のある鋼材を組み合わせた水平材５を採用しなければならない。その結果、構造躯体６の重量が増加してしまう。
【０００７】
第２に、ステンレス鋼の加工性の悪さに加えて、重量物を扱いながら精密な作業を要することから、看板の生産性が低くならざるを得ない。
【０００８】
本発明は、こうした不都合を解消することが可能な看板を提供することを目的とする。
【課題を解決するための手段】
【０００９】
まず、請求項１に係る看板の発明は、構造躯体を備えた看板であって、前記構造躯体の材質は、アルミニウムであることを特徴とする。
また、請求項２に係る看板の発明は、構造躯体を備えた看板であって、前記構造躯体は、アルミニウム製の枠材とアルミニウム製の水平材とが連結された構造を有していることを特徴とする。
また、請求項３に係る看板の発明は、構造躯体を備えた看板であって、前記構造躯体は、アルミニウム製の一対の枠材がアルミニウム製の水平材で連結された構造を有していることを特徴とする。
また、請求項４に係る看板の発明は、前記構造躯体に取り付けられた金物類の材質は、ステンレスであることを特徴とする。
また、請求項５に係る看板の発明は、前記水平材の上下両面には、灯具を水平方向に移動自在に係合しうる灯具係合溝がそれぞれ形成されていることを特徴とする。
また、請求項６に係る看板の発明は、前記一対の枠材間にスライドレールが水平に取り付けられ、このスライドレールの上下両面には、灯具を水平方向に移動自在に係合しうる灯具係合溝がそれぞれ形成されていることを特徴とする。
【発明の効果】
【００１０】
本発明によれば、錆に強いのは勿論のこと、軽量で生産性の高い看板を提供することができる。
【発明を実施するための最良の形態】
【００１１】
以下、本発明の実施形態を図面に基づいて説明する。
【００１２】
図１は本発明に係る袖看板の一実施形態の使用状態を示す斜視図、図２は図１に示す袖看板の詳細図であって、（ａ）はその正面図、（ｂ）はその左側面図、（ｃ）はその右側面図、（ｄ）はその平面図、（ｅ）はその底面図、図３は図２に示す袖看板のＡ−Ａ線による断面図、図４は図２に示す袖看板のＢ−Ｂ線による断面図、図５は図２に示す袖看板のＣ−Ｃ線による断面図、図６は図２に示す袖看板のＤ−Ｄ線による断面図、図７は展張フレームの斜視図、図８は額縁カバーの斜視図、図９は水平材の斜視図、図１０はセンターカバーの斜視図である。
【００１３】
建物の外壁１８には、図１に示すように、ブラケット１４を介して縦長（高さ６ｍ、幅１ｍ、厚さ３５０ｍｍ）の袖看板１が取り付けられており、袖看板１はアルミニウム合金製の構造躯体６を有している。この構造躯体６は、図２に示すように、アルミニウム合金からなる左右一対の枠材２、３が、上下方向に互いに所定の間隔を置いて水平に配設された複数個（図２では、１０個）のアルミニウム合金からなるボックス状の水平材５で連結された構造を有している。
【００１４】
各枠材２、３は、図２、５、６に示すように、略Ｌ形断面長尺状の４本の展張フレーム７が縦長長方形枠状に連結され、その連結部にステンレス鋼製の第１のコーナー補強アングル８が添設されてボルト接合され、さらに、展張フレーム７のブラケット対向部位にステンレス鋼製の取付部補強アングル１０が添設されてボルト接合された構造を有している。これらの枠材２、３間には、図６に示すように、各枠材２、３の第１のコーナー補強アングル８に挟まれる形で、ステンレス鋼製の第２のコーナー補強アングル９が添設されてボルト接合されている。
【００１５】
ここで、展張フレーム７は、図７に示すように、平板状の基板７ａを有しており、基板７ａには平板状の額縁カバー当接板７ｂが直交する形で一体に連設されている。額縁カバー当接板７ｂの先端には展張具係止部７ｃが一体に形成されている。また、基板７ａには額縁カバー取付片７ｄが一体に形成されており、額縁カバー当接板７ｂには額縁カバー係止片７ｅが一体に形成されている。
【００１６】
そして、各枠材２、３の看板表示面には、図３、４、６に示すように、縦長長方形状のＦＦシート（フレキシブルフェイスシート）１２が、その周縁部を展張具１３で展張フレーム７の展張具係止部７ｃに固定された形で取り付けられている。
【００１７】
また、各枠材２、３の周囲には額縁カバー１５が装着されている。すなわち、この額縁カバー１５は、図８に示すように、平板状の基板１５ａを有しており、基板１５ａには平板状の目隠し板１５ｂが直交する形で一体に連設されている。基板１５ａには、展張フレーム取付片１５ｃが一体に形成されているとともに、展張フレーム係止片１５ｄが一体に形成されている。そして、額縁カバー１５は、目隠し板１５ｂが展張フレーム７の展張具係止部７ｃを覆って目隠しするとともに、展張フレーム係止片１５ｄが展張フレーム７の額縁カバー係止片７ｅに係止し、さらに、展張フレーム取付片１５ｃが展張フレーム７の額縁カバー取付片７ｄにねじ止めされた状態で、枠材２、３に装着されている。
【００１８】
さらに、各枠材２、３の上面に位置する額縁カバー１５には、図２（ｄ）に示すように、ステンレス鋼製の水切り１９が冠着されている。また、各枠材２、３の下面に位置する額縁カバー１５には、図２（ｅ）に示すように、水抜き孔１５ｅが２個ずつ貫通して形成されている。
【００１９】
一方、各水平材５は、図６に示すように、Ｌ形断面に形成されたステンレス鋼製の複数個の水平材取付アングル３０を介して展張フレーム７にボルト接合されている。
【００２０】
そして、各水平材５には、スライドレール機構が組み込まれている。すなわち、各水平材５は、図９に示すように、横長長方形筒状の本体５ａを有しており、本体５ａの両端部にはボルト挿通孔５ｂが穿設されている。また、本体５ａの上下両面にはそれぞれ、本体５ａの全長にわたって灯具係合溝５ｃ、５ｄが形成されている。そして、水平材５の下面の灯具係合溝５ｄには、図６に示すように、灯具１６が水平方向に摺動自在に吊り下げられている。この灯具１６は、蛍光灯１６ａと、この蛍光灯１６ａを保持する蛍光灯保持金具１６ｂと、この蛍光灯保持金具１６ｂを水平材５の灯具係合溝５ｄに係着する灯具取付金具１６ｃとから構成されている。
【００２１】
また、構造躯体６の前面には、図２（ｃ）に示すように、センターカバー１７がねじ止めされている。すなわち、センターカバー１７は、図１０に示すように、平板状の基板１７ａを有しており、基板１７ａの両側にはそれぞれ展張フレーム取付片１７ｂが階段状に一体に形成されている。そして、センターカバー１７は、展張フレーム取付片１７ｂが額縁カバー１５を介して展張フレーム７の額縁カバー取付片７ｄにねじ止めされた状態で、構造躯体６の前面に取り付けられている。
【００２２】
また、構造躯体６の上面、下面および背面には、図２に示すように、それぞれセンターカバー２２、２３、２４が各１枚ねじ止めされている。そして、構造躯体６の上面に位置するセンターカバー２２には、図２（ａ）、（ｄ）に示すように、吊金具２５が第２のコーナー補強アングル９に螺着された形で取り付けられている。また、構造躯体６の下面に位置するセンターカバー２３には、図２（ｅ）に示すように、水抜き孔２３ａが貫通して形成されている。
【００２３】
また、枠材２、３間には、図４、６に示すように、ステンレス鋼製の一対の丸棒２０が展張フレーム７に貫通した形で水平に架設されており、これらの丸棒２０にはアルミニウム合金製のスライドレール２１が水平に支持されている。このスライドレール２１は、その上下両面にそれぞれ灯具係合溝２１ａ、２１ｂを備えており、下面の灯具係合溝２１ｂには灯具取付金具２６を介して灯具１６が水平方向に摺動自在に吊り下げられている。なお、丸棒２０には、枠材２、３からの脱落を防止するため、割りピン２７が挿通されている。
【００２４】
さらに、各取付部補強アングル１０にはそれぞれ、図５に示すように、ステンレス鋼製のＵボルト２８が溶接されており、これらのＵボルト２８間にはターンバックル式のブレース２９がＸ字状に架け渡されている。
【００２５】
袖看板１は以上のような構成を有するので、この袖看板１を製作する際には、４本の展張フレーム７に第１のコーナー補強アングル８および取付部補強アングル１０をボルト接合して枠材２、３を組み立てる。その後、これらの枠材２、３間に、複数個の水平材５を水平材取付アングル３０を介してボルト接合するとともに、第２のコーナー補強アングル９をボルト接合する。
【００２６】
このように、袖看板１の製作は、ボルト締結作業などの簡易な作業だけで済み、溶接作業などの熟練作業を要しない。したがって、熟練者でなくても袖看板１を高品質を保ったまま容易に製作することができ、袖看板１の生産性が向上するとともに、袖看板１の製作コストが削減される。このとき、枠材２、３は上端から下端まで一様な平断面であるため、既存のブラケット１４の設置位置に合わせて水平材５を取り付けることもできる。そうすれば、従来品では不可能な取付位置の変更も可能となる。
【００２７】
また、こうして製作された袖看板１においては、その重量の大半を占める構造躯体６（枠材２、３および水平材５）がアルミニウム合金製であり、しかも、水平材５が軽量で曲げ剛性の高いボックス状であり、さらに、構造躯体６に取り付けられた金物類（具体的には、第１のコーナー補強アングル８、第２のコーナー補強アングル９、取付部補強アングル１０、水平材取付アングル３０、丸棒２０、Ｕボルト２８、水切り１９）は、すべてステンレス鋼製である。これらの結果、この袖看板１は、鉄骨を使用する従来品と比べて錆に強く、また、鉄骨やステンレス鋼を使用する従来品と比べて軽量となる。
【００２８】
また、構造躯体６の耐久性能が高く、先々の表示替えにあたっても、袖看板１全体を作り直す必要はなく、ＦＦシート１２の取り替え作業だけで済む。したがって、袖看板１は経済性に優れる。
【００２９】
また、袖看板１の構成材料は、そのほとんどがアルミ合金とステンレス鋼であり、かつボルトで組み立てられているため、構成材料の使い回しが可能で省資源である。また、構成材料そのものが不要となって廃棄する場合でも、容易に分別可能で、資源回収に役立つものである。
【００３０】
また、袖看板１は、灯具１６とブラケット１４を除けば、ほぼメンテナンスフリーとなり、袖看板１のランニングコストを低減することができる。
【００３１】
なお、灯具１６の点検や灯具１６または蛍光灯１６ａの交換を行う際には、センターカバー１７を取り外し、図５に想像線で示すように、灯具１６ごと手前に引き出す。すると、灯具１６が構造躯体６の外側に出てくるので、点検・交換作業を簡単かつ迅速に行うことができる。このとき、センターカバー１７は灯具１６の幅より少し広い程度の幅であるため、枠材２、３の看板表示面全面を覆うように取り付けられた大型のカバーを開ける場合と異なり、高所作業時においてセンターカバー１７が突風に煽られる心配はなく、安全に点検・交換作業を実施することができる。
【００３２】
また、各枠材２、３は、４本の展張フレーム７が第１のコーナー補強アングル８および取付部補強アングル１０で補強された構造を有しているので、ＦＦシート１２の使用に伴う強大な引張力にも十分に対応することができる。
【００３３】
また、水平材５にはスライドレール機構が組み込まれているので、灯具１６のレイアウトに柔軟に対応できるとともに、部品点数を削減することができる。
【００３４】
さらに、水平材５には、本体５ａの下面に灯具係合溝５ｄが形成されているのみならず、本体５ａの上面にも灯具係合溝５ｃが形成されているので、水平材５の上側に灯具１６を載置することもできる。したがって、灯具１６のレイアウトに柔軟性を持たせるとともに、部品点数を削減することができる。
【００３５】
また、構造躯体６にはブレース２９が設けられているので、袖看板１は地震時などの耐せん断性能に優れる。
【００３６】
また、各枠材２、３の上面に位置する額縁カバー１５には水切り１９が冠着されているので、雨水などの水分が構造躯体６内に浸入することは水切り１９によって阻止される。しかも、各枠材２、３の下面に位置する額縁カバー１５には水抜き孔１５ｅが形成されているとともに、構造躯体６の下面に位置するセンターカバー２３には水抜き孔２３ａが形成されているので、たとえ水分が構造躯体６内に浸入しても、その水分は直ちに水抜き孔１５ｅ、水抜き孔２３ａから外部へ排出される。したがって、水分が構造躯体６内にとどまる事態は生じない。その結果、構造躯体６内が高湿になることによって惹起される不都合（例えば、ＦＦシート１２の劣化、蛍光灯１６ａの短命化など）の発生を未然に防止することができる。
【００３７】
なお、上述の実施形態においては、アルミニウム合金製の構造躯体６（枠材２、３および水平材５）を用いる場合について説明したが、構造躯体６の材質は、アルミニウム合金に限らず、アルミニウム単体でもよい。
【００３８】
なお、上述の実施形態においては、アルミニウム合金製のスライドレール２１を用いる場合について説明したが、スライドレール２１の材質は、アルミニウム合金に限らず、アルミニウム単体でもよい。
【００３９】
なお、上述の実施形態においては、内照式の袖看板１について説明したが、無照式の袖看板１に本発明を適用することも可能である。このとき、内照式・無照式を問わず同一仕様とすれば、袖看板１の製作・取付・維持にあたって異なる手順を用意する必要がなく、汎用性に優れる。
【００４０】
なお、上述の実施形態においては、高さ６ｍ、幅１ｍ、厚さ３５０ｍｍの縦長の袖看板１について説明した。しかし、これらの寸法（高さ、幅、厚さ）は特に限定されるわけではなく、これより大きい袖看板１を同様の手順で製作することも可能である。ただし、高さ９ｍを越える袖看板１については、建築基準法（国土交通省告示第４１０号）により、溶接または高力ボルト接合によらねばならないことから、生産性向上を重視する場合には、高さ９ｍ以下という制限を受けることになる。また、袖看板１の幅については、１．２ｍまで構造上の制限を受けることなく製作可能である。
【００４１】
なお、上述の実施形態においては、袖看板１について説明したが、袖看板１以外の看板（例えば、ポール式袖看板、ファサードサイン、壁面看板など）に本発明を適用することも勿論できる。ただし、ファサードサインや壁面看板の場合、一対の枠材２、３が水平材５で連結された構造ではなく、枠材２と水平材５とが連結された構造を有する構造躯体６となる。
【産業上の利用可能性】
【００４２】
本発明は、袖看板のほか、ポール式袖看板、ファサードサイン、壁面看板など各種の看板（とりわけ、大規模な看板）に広く適用することができる。
【図面の簡単な説明】
【００４３】
【図１】本発明に係る袖看板の一実施形態の使用状態を示す斜視図である。
【図２】図１に示す袖看板の詳細図であって、（ａ）はその正面図、（ｂ）はその左側面図、（ｃ）はその右側面図、（ｄ）はその平面図、（ｅ）はその底面図である。
【図３】図２に示す袖看板のＡ−Ａ線による断面図である。
【図４】図２に示す袖看板のＢ−Ｂ線による断面図である。
【図５】図２に示す袖看板のＣ−Ｃ線による断面図である。
【図６】図２に示す袖看板のＤ−Ｄ線による断面図である。
【図７】展張フレームの斜視図である。
【図８】額縁カバーの斜視図である。
【図９】水平材の斜視図である。
【図１０】センターカバーの斜視図である。
【図１１】従来の袖看板における枠材の補強構造を示す図である。
【図１２】従来の袖看板における水平材を示す図である。
【符号の説明】
【００４４】
１……袖看板（看板）
２、３……枠材
５……水平材
５ｃ、５ｄ……灯具係合溝
６……構造躯体
７……展張フレーム
８……第１のコーナー補強アングル（金物類）
９……第２のコーナー補強アングル（金物類）
１０……取付部補強アングル（金物類）
１６……灯具
１６ａ……蛍光灯
１７……センターカバー
１９……水切り（金物類）
２０……丸棒（金物類）
２１……スライドレール
２１ａ、２１ｂ……灯具係合溝
２８……Ｕボルト（金物類）
３０……水平材取付アングル（金物類）
【図１】
2006301206.tif 000003
【図２】
2006301206.tif 000004
【図３】
2006301206.tif 000005
【図４】
2006301206.tif 000006
【図５】
2006301206.tif 000007
【図６】
2006301206.tif 000008
【図７】
2006301206.tif 000009
【図８】
2006301206.tif 000010
【図９】
2006301206.tif 000011
【図１０】
2006301206.tif 000012
【図１１】
2006301206.tif 000013
【図１２】
2006301206.tif 000014